(57)【要約】【課題】誘導経路や地図情報の視認性を確保した上でテレビ番組の受信可能地点を地図情報上で確認することができ、さらには面倒な設定作業を省いて番組情報を容易に獲得可能であって、これによりテレビ機能を利用しやすくする。【解決手段】到着予想時刻算出部２１は、経路探索部１９にて計算された経路上の滞在地点に到着する到着予想時刻を算出する。また、番組情報選択部２３は、番組情報取得部２２にて取得した番組情報に基づいて、前記滞在地点で到着予想時刻以降に受信可能なテレビ番組に関する番組情報を選択する。そして、表示制御部２４が、番組情報選択部２３の選択した番組情報を滞在地点に対応付けて地図情報上に表示する。【選択図】図２
2010093531.tif 000002
【特許請求の範囲】
【請求項１】
地図情報を表示する表示手段と、出発地を設定する出発地設定手段と、目的地を設定する目的地設定手段と、前記出発地から前記目的地までの経路を探索する経路探索手段と、テレビ番組に関する番組情報を取得する番組情報取得手段を備えた番組情報表示装置において、
前記経路上の滞在地点に到着する到着予想時刻を算出する到着予想時刻算出手段と、
前記番組情報取得手段にて取得した番組情報に基づき前記滞在地点で前記到着予想時刻以降に受信可能なテレビ番組に関する番組情報を選択する番組情報選択手段と、
前記番組情報選択手段にて選択した番組情報を前記滞在地点に対応付けて前記地図情報上に表示するように前記表示手段を制御する表示制御手段を備えたことを特徴とする番組情報表示装置。
【請求項２】
前記番組情報選択手段が前記滞在地点で前記到着予想時刻以降に受信可能なテレビ番組に関する番組情報を選択したとき、前記表示制御手段は、受信可能な番組の存在を示す番組アイコンを、前記滞在地点に対応付けて前記地図情報上に表示するように構成されたことを特徴とする請求項１に記載の番組情報表示装置。
【請求項３】
ユーザー操作により前記番組アイコンが選択されたことを検知して、選択検知信号を前記表示制御手段に出力するアイコン選択検知手段を備え、
前記表示制御手段は、前記アイコン選択検知手段の出力した選択検知信号を受け取った後、選択されたアイコンに対応する前記番組情報を表示するように構成されたことを特徴とする請求項２に記載の番組情報表示装置。
【請求項４】
前記経路探索手段にて探索した前記経路上の任意の地点もしくは前記経路の近傍で、テレビ番組の視聴に適したスペースを有する視聴好適地点を検出する視聴好適地点検出手段を備え、
前記滞在地点設定手段は、前記視聴好適地点を滞在地点として設定するように構成されたことを特徴とする請求項１〜３のいずれか１項に記載の番組情報表示装置。
【請求項５】
テレビ受信機と、
前記滞在地点にて前記テレビ受信機によりテレビ番組の視聴を開始したことを検出する視聴開始検知手段と、
前記番組情報取得手段にて取得した前記番組情報の中から視聴を開始した前記テレビ番組の放送終了時刻を取り出し、この放送終了時刻に基づいて前記滞在地点の出発予定時刻を求める出発予定時刻算出手段を備え、
前記到着予想時刻算出手段は、前記出発予定時刻を起点として、前記テレビ番組の視聴を開始した前記滞在地点以降に存在する前記滞在地点への到着予想時刻を更新するように構成され、
前記番組情報取得手段は、更新した前記到着予想時刻に基づいて番組情報を更新するように構成されたことを特徴とする請求項１〜４のいずれか１項に記載の番組情報表示装置。
【請求項６】
前記テレビ番組の視聴又は録画の予約を行う予約設定手段を備えたことを特徴とする請求項１〜５のいずれか１項に記載の番組情報表示装置。
【請求項７】
前記番組情報取得手段から送られた前記番組情報の中から、前記経路計算手段にて計算した前記経路を含む地域の名称をキーワードとして前記地域に関連した地域関連番組を検索する地域関連番組検索手段を備え、
前記表示制御手段は、前記地域関連番組検索手段にて検索した前記地域関連番組の番組情報を、前記滞在地点に対応付けて前記地図情報上に表示するように構成されたことを特徴とする請求項１〜６のいずれか１項に記載の番組情報表示装置。
【請求項８】
地図情報を表示する表示ステップと、出発地を設定する出発地設定ステップと、目的地を設定する目的地設定ステップと、前記出発地から前記目的地までの経路を探索する経路探索ステップと、テレビ番組に関する番組情報を取得する番組情報取得ステップを含む番組情報表示方法において、
前記経路上の滞在地点に到着する到着予想時刻を算出する到着予想時刻算出ステップと、
前記番組情報取得ステップにて取得した番組情報に基づき前記滞在地点で前記到着予想時刻以降に受信可能なテレビ番組に関する番組情報を選択する番組情報選択ステップと、
前記番組情報選択ステップにて選択した番組情報を前記滞在地点に対応付けて前記地図情報上に表示するように前記表示ステップを制御する表示制御ステップを含むことを特徴とする番組情報表示方法。
【発明の詳細な説明】
【技術分野】
【０００１】
本発明は、テレビ受信機とナビゲーション装置を組み合わせた移動体用の情報処理技術に係り、特に、ナビゲーション装置にて誘導される経路上の任意の地点でテレビ番組を視聴する時に使用する番組情報表示装置及び番組情報表示方法に関するものである。
【背景技術】
【０００２】
近年、車載機器の技術的進展は著しく、目的地への最適な経路誘導を行うナビゲーション装置はもとより、デジタル放送対応の車載用テレビ受信機も高い需要を得ている。このため、ナビゲーション装置とテレビ受信機を一体的に搭載した車両が増えており、ドライブしながらテレビ番組を視聴できるようになっている。
【０００３】
しかも、デジタル放送の開始に伴って、テレビ受信機はＥＰＧ（Electronic Program Guide：電子番組ガイド）機能を備えており、ユーザーの見たい番組を簡単に検索できる視聴環境が整っている。このような状況の下、ナビゲーション装置とテレビ受信機を組み合わせた情報処理技術に関しては、様々なものが提案されている。
【０００４】
例えば、特許文献１に記載の技術では、ＥＰＧにて予約した番組の開始時間等に合わせて番組の視聴に適した駐車場所を検索し、この駐車場所を誘導経路の中継点として設定している。この技術によれば、番組の視聴に適した駐車場所まで車両を誘導できるので、予約した番組を確実且つ安全な環境で視聴することが可能である。そのため、予約した番組を見逃したくない場合に特に有効である。
【０００５】
ところで、車載用テレビ受信機が普及しつつある現在、テレビ番組の視聴に関するユーザーの行動は多様化しており、テレビ番組の視聴を予め予約しておく場合もあれば、ドライブ途中の休憩時等にテレビ番組を気軽に楽しみたいといった要望も存在する。後者の場合は、誘導経路上で一定時間滞在する休憩地点等をとりあえず選んでおき、そこでの休憩の合間に、気分転換を兼ねてテレビ番組を見ようとするケースが考えられる。
【０００６】
このようなケースでは、ユーザーはテレビ番組を事前に予約しておく訳ではないので、予約番組の見逃し防止を目的とした特許文献１の技術は、利用目的が異なることになる。そこで上記のケースに際してユーザーを支援する技術としては、ＥＰＧを用いてユーザーが望む番組表を提示する技術が知られている。具体的には、特許文献２の技術のように、ユーザーの設定した地点と時刻に限定した番組表を作成するものが提案されている。
【０００７】
この技術では、特定の地点・時刻に限った番組表を作成することで、その地点と時刻で見られるテレビ番組について、ユーザーが把握することができる。デジタル放送の実施により多チャンネル化が進み、番組表に載る情報量が増大傾向にある状況を考慮すると、このように特定の地点・時刻に絞って番組表を作成することは、テレビ機能の使いやすさを高める上で便利である。
【特許文献１】特開２００７−２７１２９９号公報
【特許文献２】特開２００３−３０４４５７号公報
【発明の開示】
【発明が解決しようとする課題】
【０００８】
しかしながら、上述した番組表の作成を主眼とした従来技術には、次のような課題が指摘されている。すなわち、番組表は、たとえ時間帯や地点を限定したにせよ、チャンネル名、番組名、放送開始時刻・放送終了時刻といった数多くの番組情報を記載する必要があり、番組表の表示面積は大きくならざるを得ない。
【０００９】
つまり、良好な視認性を確保するためには、番組表の表示面積は大きい方が望ましい。したがって、現状では、図１１に示すように、誘導経路を含む地図情報の表示画面を画面Ａ、番組表の表示画面を画面Ｂとしたした場合、これらの画面Ａ、Ｂは、切り替えて表示がなされている。
【００１０】
このため、テレビ番組を視聴する地点を地図情報上で確認しつつ、番組表を見ることができない。したがって、前記地点を複数設定して、各地点で見られる番組が異なった場合には、ユーザーは、設定した地点と番組情報を同一画面で確認できず、両者の対応関係を直感的に把握し難くなり、不便である。
【００１１】
そこで番組表の表示方法として、地図情報の表示画面上に番組表を表示することも考えられるが、良好な視認性を確保すべく、ある程度の表示面積を有した番組表を、地図情報の表示画面上に表示しようとすると、番組表が表示画面の大半を占めることになる。例えば、図１１において、画面Ａ上での点線で囲まれた領域が画面Ｂの表示領域であり、番組表が地図情報を隠してしまうことになる。すなわち、番組表の表示によって地図情報や誘導経路が見え難くなるといった不具合が生じる。
【００１２】
また、上記の特許文献２の技術では、番組表の作成に際して、地点と時刻の両方を設定する必要があり、テレビ番組を気軽に見ようとするユーザーにとっては、設定作業が面倒である。日常生活においてテレビ番組を見ることは最も手軽に行えることの１つなので、テレビ番組の視聴を強く希望しないにもかかわらず、番組表を作るために２段階の設定作業を強いられることは、ユーザーにとって心理的な負担が大きく、テレビ機能の利用しやすさを低下させる要因となっている。
【００１３】
さらに、前記特許文献２の技術において、設定した地点への到着が遅れて受信可能な番組が変わると、番組表の内容を更新するが、番組表の更新が頻繁だと番組表の内容が目まぐるしく変わることになる。この場合、ユーザーは、番組表の更新に意識が向き、番組への関心は高まるが、設定した地点に到着するまでに番組表が何度も更新されていると、そのたびにユーザーは番組表を確認しなくてはならず、ストレスの原因となりかねない。
【００１４】
本発明は、上記のような従来技術の問題点を解決するために提案されたもので、その目的は、誘導経路や地図情報の視認性を確保した上でテレビ番組の受信可能地点を地図情報上で確認することができ、さらには面倒な設定作業を省いて番組情報を容易に獲得可能であって、これによりテレビ機能を利用しやすくする番組情報表示装置及び番組情報表示方法を提供することである。
【課題を解決するための手段】
【００１５】
上記の目的を達成するため、請求項１の発明は、地図情報を表示する表示手段と、出発地を設定する出発地設定手段と、目的地を設定する目的地設定手段と、前記出発地から前記目的地までの経路を探索する経路探索手段と、テレビ番組に関する番組情報を取得する番組情報取得手段を備えた番組情報表示装置において、前記経路上の滞在地点に到着する到着予想時刻を算出する到着予想時刻算出手段と、前記番組情報取得手段にて取得した番組情報に基づき前記滞在地点で前記到着予想時刻以降に受信可能なテレビ番組に関する番組情報を選択する番組情報選択手段と、前記番組情報選択手段にて選択した番組情報を前記滞在地点に対応付けて前記地図情報上に表示するように前記表示手段を制御する表示制御手段を備えたことを特徴とするものである。
【００１６】
また、請求項８は、請求項１の発明を方法の観点から捉えたものであって、地図情報を表示する表示ステップと、出発地を設定する出発地設定ステップと、目的地を設定する目的地設定ステップと、前記出発地から前記目的地までの経路を探索する経路探索ステップと、テレビ番組に関する番組情報を取得する番組情報取得ステップを含む番組情報表示方法において、前記経路上の滞在地点に到着する到着予想時刻を算出する到着予想時刻算出ステップと、前記番組情報取得ステップにて取得した番組情報に基づき前記滞在地点で前記到着予想時刻以降に受信可能なテレビ番組に関する番組情報を選択する番組情報選択ステップと、前記番組情報選択ステップにて選択した番組情報を前記滞在地点に対応付けて前記地図情報上に表示するように前記表示ステップを制御する表示制御ステップを含むことを特徴としている。
【００１７】
以上のような本発明では、到着予想時刻算出手段を用いて経路上の滞在地点に到着する到着予想時刻を算出しておく。そして、番組情報取得手段が取得した番組情報の中から、番組情報選択手段によって、滞在地点で到着予想時刻以降に受信可能なテレビ番組に関する番組情報を選択する。さらに、表示制御手段が、選択した番組情報に関して、滞在地点に対応付けて地図情報上に表示する。
【００１８】
ここで、番組情報は、番組情報の集合である番組表に比べて、その表示領域を小さくすることができる。すなわち、番組情報の表示面積は小さく、これを地図情報上に重ね合わせて表示したとしても、誘導経路や地図情報の表示を隠す心配がない。このため、誘導経路や地図情報の視認性低下を防止できる。しかも、番組を視聴する予定の滞在地点に対応付けて、そこでの受信可能な番組を表示しているので、ユーザーは滞在地点と番組情報の対応関係を直感的に把握することができる。
【００１９】
また、本発明では、到着予想時刻算出手段が滞在地点に到着する到着予想時刻を算出するので、滞在地点を設定するだけで番組情報を取得することができ、時刻の設定作業を省いて、設定作業の軽減化が図ることができる。さらに、滞在地点の設定作業に関しても、滞在地点は誘導経路上に限定しているため、経路計算された誘導経路が提示された際、出発地から目的地まで誘導経路を確認していく過程で、休憩地点の選択作業として、気軽に実施可能である。
【００２０】
つまり、滞在地点の設定作業は、テレビ番組を視聴するための不可欠な強制作業といった意識が希薄であり、休憩のための地点として目星をつける程度の自然の流れで、テレビ番組の視聴地点を決めることができる。したがって、ユーザーが、さして番組の視聴を望んでいなかったとしても、気がつくと、滞在地点に番組情報が表示されていることになる。これにより、テレビ機能の利用しやすさが増し、テレビ機能の利用頻度が高まる。
【００２１】
請求項２の発明は、請求項１に記載の番組情報表示装置において、前記番組情報選択手段が前記滞在地点で前記到着予想時刻以降に受信可能なテレビ番組の番組情報を選択したとき、前記表示制御手段は、受信可能な番組の存在を示す番組アイコンを、前記滞在地点に対応付けて前記地図情報上に表示するように構成されたことを特徴とするものである。
【００２２】
以上の請求項２の発明では、表示制御手段は、番組情報に代えて番組アイコンを地図情報上に表示するようになっている。番組アイコンとは滞在地点に受信可能な番組が存在することを示すだけの記号なので、その表示面積は非常に小さくて済み、これを地図情報上に表示しても、誘導経路や地図情報が見え難くなる懸念は全くない。
【００２３】
さらに、請求項２の発明では、滞在地点にて受信可能な番組が存在するか否かを番組アイコンによって表示するだけなので、交通状況の変化に伴って滞在地点への到着が予想時刻よりも遅れた場合でも、滞在地点への到着遅れによる番組情報の更新は、いちいち表示されることがない。したがって、ユーザーが番組情報の変更に振り回されることがなく、滞在地点に到着した後、受信可能な番組を気軽に見ることができる。
【００２４】
請求項３の発明は、請求項２に記載の番組情報表示装置において、ユーザー操作により前記番組アイコンが選択されたことを検知して、選択検知信号を前記表示制御手段に出力するアイコン選択検知手段が設けられ、前記表示制御手段は、前記アイコン選択検知手段の出力した選択検知信号を受け取った後、選択されたアイコンに対応する番組情報を表示するように構成されたことを特徴とするものである。
【００２５】
上記の請求項３の発明では、ユーザー操作により番組情報選択手段が地図情報上に表示された番組アイコンを選ぶと、アイコン選択検知手段が番組アイコンの選択を検知して、表示制御手段が選択検知信号を受け取り、選択されたアイコンに対応する番組情報を表示する。これにより、ユーザーは、番組アイコンを表示することで誘導経路や地図情報の見やすさを維持し、ユーザーが番組アイコンを選択した後は詳しく番組情報の内容を表示して、これを確認することが可能である。なお、表示制御手段は、番組アイコンの表示を消してから番組情報を表示しても良いし、番組アイコンと番組情報とを同時に表示してもよい。
【００２６】
請求項４の発明は、請求項１〜３のいずれか１項に記載の番組情報表示装置において、前記経路探索手段にて探索した前記経路上の任意の地点もしくは前記経路の近傍で、テレビ番組の視聴に適したスペースを有する視聴好適地点を検出する視聴好適地点検出手段を備え、前記滞在地点設定手段は、前記視聴好適地点を滞在地点として設定するように構成されたことを特徴とする。
【００２７】
このような請求項４の発明においては、視聴好適地点検出手段が番組視聴に好適な地点を検出し、滞在地点設定手段がこの視聴好適地点を滞在地点として設定するので、ユーザーは常に視聴に適した地点で番組を見ることができる。しかも、視聴好適地点検出手段と滞在地点設定手段を組み合わせることにより、ユーザー操作による滞在地点の設定作業を省略可能であり、番組情報の取得時に必要であった設定作業を無くすことができる。
【００２８】
請求項５の発明は、請求項１〜４のいずれか１項に記載の番組情報表示装置において、テレビ受信機と、前記滞在地点にて前記テレビ受信機によりテレビ番組の視聴を開始したことを検出する視聴開始検知手段と、前記番組情報取得手段にて取得した前記番組情報の中から視聴を開始した前記テレビ番組の放送終了時刻を取り出し、この放送終了時刻に基づいて前記滞在地点の出発予定時刻を求める出発予定時刻算出手段を備え、前記到着予想時刻算出手段は、前記出発予定時刻を起点として、前記テレビ番組の視聴を開始した前記滞在地点以降に存在する前記滞在地点への到着予想時刻を更新するように構成され、前記番組情報取得手段は、更新した前記到着予想時刻に基づいて番組情報を更新するように構成されたことを特徴とする。
【００２９】
上記の請求項５の発明では、ユーザーが滞在地点で実際にテレビ番組を見始めた場合、出発予定時刻算出手段が、その番組の放送終了時刻から、この滞在地点を出発する予定時刻を割り出す。そして、到着予想時刻算出手段は、出発予定時刻を起点とし、他の滞在地点の到着予想時刻を更新する。
【００３０】
さらには、番組情報取得手段が到着予想時刻の更新に基づいて受信可能なテレビ番組の番組情報を更新する。したがって、表示制御手段は、実際にテレビ番組を視聴した以降の滞在地点についても正確な番組情報を表示することが可能である。
【００３１】
請求項６の発明は、請求項１〜５のいずれか１項に記載の番組情報表示装置において、前記テレビ番組の視聴又は録画の予約を行う予約設定手段を備えたことを特徴としている。この請求項６の発明では、予約設定手段にてテレビ番組の視聴又は録画の予約を行うので、当該テレビ番組の見逃しを防ぐことができる。
【００３２】
請求項７の発明は、請求項１〜６のいずれか１項に記載の番組情報表示装置において、前記番組情報取得手段から送られた前記番組情報の中から、前記経路計算手段にて計算した前記経路を含む地域の名称をキーワードとして前記地域に関連した地域関連番組を検索する地域関連番組検索手段を備え、前記表示制御手段は、前記地域関連番組検索手段にて検索した前記地域関連番組の番組情報を、前記滞在地点に対応付けて前記地図情報上に表示するように構成されたことを特徴としている。
【００３３】
以上の構成を有する請求項７の発明では、ドライブ中のユーザーの関心度が高いであろう地域関連番組に関して、ユーザーが特に検索操作を実行しなくても、地域関連番組検索手段が、経路付近の地域名称をキーワードとして、地域関連番組の番組情報を取得することができる。このため、滞在地点にて地域関連番組を容易に見ることが可能であり、ドライブ中に有用な情報を効率良く収集できるといったメリットがある。
【発明の効果】
【００３４】
以上述べたように、本発明の番組情報表示装置及び番組情報表示方法によれば、番組表に比べて表示領域の小さい番組情報を、滞在する予定の地点に対応付けて地図情報上に表示することによって、誘導経路や地図情報の視認性と情報把握の容易さを両立させることができ、さらには面倒な設定作業を省いて番組情報を獲得可能なので、誘導経路の途中でテレビ番組を気軽に楽しむことができる。
【発明を実施するための最良の形態】
【００３５】
続いて、本発明の実施形態の一例について図面を参照して具体的に説明する。本実施形態は、ナビゲーション装置とテレビ受信機を備えた車載用機器に組み込まれる番組情報表示装置であって、コンピュータをソフトウェアで制御することで実現できる。この場合のハードウェアやソフトウェアの実現態様は各種変更可能であり、以下の実施形態では、各機能を実現する仮想的回路ブロックを用いて説明している。また、本発明は、番組情報表示装置の他に、番組情報表示方法、番組情報表示用の制御プログラム、さらにはプログラムを記録した記録媒体として把握することも可能である。
【００３６】
（１）第１の実施形態
（１−１）構成
まず、第１の実施形態について、図１〜図４を用いて説明する。図１は、第１の実施形態における全体構成を示す構成図、図２は第１の実施形態における要部の機能ブロック図、図３は第１の実施形態における表示画面例、図４は第１の実施形態における動作の流れを示すフローチャートである。
【００３７】
（１−１−１）ナビゲーション装置１の構成
図１に示すように、第１の実施形態は、ＣＰＵからなる演算部１２に対して、ナビゲーション装置１とテレビ受信機２が接続されている。このうち、ナビゲーション装置１は大別して４つの部分、すなわち、自車位置を逐次検出するための位置・方向検出部１Ａ、ユーザーとの間で情報のやり取りを行う入出力部１Ｂ、ＶＩＣＳ情報の受信部１Ｃ、メディア制御部分を含めたデータ格納・制御部１Ｄから構成されている。
【００３８】
（１−１−２）位置・方向検出部１Ａ
位置・方向検出部１Ａには、ＧＰＳレシーバ３、ジャイロセンサ４、車速パルスセンサ５が設けられている。ＧＰＳレシーバ３は、ＧＰＳ衛星から送られてくるＧＰＳ電波を受信して、自車の絶対的な位置と方向を検出する部分である。また、ＧＰＳレシーバ３は、現在時刻を取得するようになっている。ジャイロセンサ４は自車の相対的な方位を検出する部分である。車速パルスセンサ５は、自車より得られる車速パルスを処理することで自車の速度計算や走行距離の計算を行う部分である。
【００３９】
（１−１−３）入出力部１Ｂ
入出力部１Ｂは、ユーザーからの命令要求等を入力する入力部６と、地図情報や誘導経路さらにはテレビ番組情報、テレビ番組の内容を出力する出力部７とから構成される。入力部６は、リモコンのスイッチや数字キーといった入力ボタンや、タッチパネル方式の液晶ディスプレイにおけるタッチパネル部分等を包含する。入力部６は、内部に組み込まれたＩ／Ｏ制御回路やデバイスドライバなどを使って、出力部７と演算部１２との間で信号のやり取りを行うようになっている。
【００４０】
出力部７は液晶ディスプレイやスピーカを包含している。液晶ディスプレイの表示画面上には、地図や経路、操作メニュー、検索リスト、地点情報及び番組情報など各種の情報、さらにはテレビ番組の内容が視覚的に表示される。スピーカからは、誘導経路を案内する際の音声ガイドやテレビ番組の音声等が出力される。
【００４１】
（１−１−４）ＶＩＣＳ情報の受信部１Ｃ
ＶＩＣＳ情報の受信部１Ｃは、道路交通情報通信システム（ＶＩＣＳ；Vehicle Information and Communication System  財団法人道路交通情報通信システムセンターの登録商標）から配信されるＶＩＣＳ情報を受信する部分であり、ＦＭ多重受信部１３と光／電波ビーコン受信部１４が設けられている。
【００４２】
ＦＭ多重受信部１３は、ＦＭ放送波を受信してこの放送波からＶＩＣＳ情報を取り出す処理を行う部分である。また、光／電波ビーコン受信部１４は、路肩などに設置された光ビーコンや電波ビーコンから、各ビーコンの識別情報やＶＩＣＳ情報を受信する部分である。
【００４３】
（１−１−５）データ格納・制御部１Ｄ
データ格納・制御部１Ｄは、メディア制御部８と、メモリ９と、地図情報記憶部１０とからなる。このうち、メディア制御部８はＤＶＤやＣＤ等のメディアを再生・制御する部分であって、メディアに記録されたナビゲーションプログラムや地図情報など様々なデータを、データベースから読み出すようになっている。
【００４４】
データベースに格納された地図情報には、道路地図表示や経路探索を行う際に用いられるノードデータ、リンクデータ等を含む道路情報、及び地図上の地点に関する各種地点情報が含まれている。この地点情報には、地点の座標、地点の名称、地点の種類、住所、電話番号等の検索リスト用のデータ等が含まれている。また、ナビゲーションプログラムに必要なインタフェース用のデータとして、メニュー、リスト、ボタン、案内（方位、距離、時刻等）、各種マーク（ランドマーク、アイコン、現在位置、走行軌跡等）等を表示する為のデータが含まれている。
【００４５】
なお、上述のプログラムやデータの格納場所は、種々のメディアを利用可能なので、プログラムやデータの一部若しくは全部をどのメディアに格納するかは、自由に設計可能である。従って、メインプログラムばかりでなく、ナビゲーションのインタフェース用のデータの一部を、メモリ９側にあらかじめ格納しておいてもよい。また、ＤＶＤやＣＤ等に代えて、ハードディスクや半導体メモリを用いる構成でもかまわない。
【００４６】
メモリ９は、外部から取得したＥＰＧデータを格納したり、経路探索プログラム等の作業領域として作用する部分である。また、地図情報記憶部１０は、地図情報や経路計算に使用するリンク情報、後述する到着予想時刻を算出するためのリンク旅行時間を記憶する部分である。
【００４７】
（１−１−６）テレビ受信機２の構成
テレビ受信機２は、ＥＰＧによる番組の視聴及び録画の予約機能を有しており、受信可能エリア記憶部３３と、無線通信部３４と、テレビ受信部１５を具備している。このうち、受信可能エリア記憶部３３は、デジタル放送が受信できるエリアに関する情報を、放送局毎に記憶する部分である。無線通信部３４は、無線によりＥＰＧデータを受け取る部分であり、テレビ受信部１５はデジタル放送の映像及び音声信号を受信する部分である。
【００４８】
（１−１−７）演算部１２の構成
続いて、演算部１２の構成について図２を用いて説明する。演算部１２は、本実施形態における制御回路の役割を果たす部分であって、図２に示す仮想的なブロックとしての役割を実現するように構成されている。
【００４９】
図２に示すように、演算部１２にはナビゲーション装置１の基本機能を担う部分として、マンマシンインターフェース制御部１１、自車位置検出部１６、出発地設定部１７、目的地設定部１８、経路探索部１９が設けられている。さらに演算部１２には、本実施形態における特徴的な機能を担う部分として、滞在地点設定部２０、到着予想時刻算出部２１、番組情報取得部２２、番組情報選択部２３、表示制御部２４、滞在地点座標取得部２５、放送局抽出部２６が設けられている。
【００５０】
（１−１−８）ナビゲーション装置１の基本機能
ナビゲーション装置１の基本機能を担う部分のうち、マンマシンインターフェース制御部１１は、入力部６を介して行われる施設検索や地図上でのカーソル指定などによる目的地の指定等、ユーザーからの各種の命令要求を受け付ける部分である。
【００５１】
自車位置検出部１６は、ＧＰＳ航法測位と自律航法測位とを組み合わせることで自車位置を逐次計算する部分である。ＧＰＳ航法測位では、ＧＰＳ衛星からのＧＰＳ電波に基づいてＧＰＳレシーバ３から得られる情報を使って現在位置を計算している。また、自律航法測位では、地磁気及び自車の速度に基づいてジャイロセンサ４及び車速パルスセンサ５から得られる情報を使って現在位置を計算する。
【００５２】
出発地設定部１７は、自車位置検出部１６から自車位置情報を受け取り、ここを出発地として設定する部分である。ただし、出発地はユーザーの指定した場所など任意の地点であっても構わない。目的地設定部１８は、ユーザー操作により入力部６を介して行われる施設検索や地図上でのカーソル指定などによって、目的地を設定する部分である。経路探索部１９は、地図情報記憶部１０に記憶されたリンク情報を呼び出し、経路探索プログラムを利用して、出発地から目的地までの経路を探索する部分である。
【００５３】
（１−１−９）本実施形態における特徴的な機能
次に本実施形態における特徴的な機能を担う部分に関して述べる。まず、滞在地点設定部２０は、ユーザー操作により入力部６を介して行われる施設検索や地図上でのカーソル指定などによって、経路探索部１９で探索した経路上の任意の地点を、滞在地点として設定する部分である。
【００５４】
滞在地点とは、一定時間、そこに留まることをユーザーが予定している中継地を意味しており、ユーザーが休憩をとる休憩地や、ショッピングをする同乗者をユーザーが車両内で待つ場合の駐車場所等が包含される。また、滞在地点座標取得部２５は、地図情報記憶部１０から呼び出した地図情報に基づいて、設定した滞在地点の座標を取得する部分である。
【００５５】
到着予想時刻算出部２１は、地図情報記憶部１０に記憶されたリンク旅行時間を呼び出し、ＧＰＳレシーバ３にて取得した現在時刻を起点として、経路上に位置する滞在地点に自車が到着する予想時刻を、算出する部分である。なお、現在時刻は、ＧＰＳレシーバ３からではなく、車両側に組み込まれた時計から得てもよい。
【００５６】
放送局抽出部２６は、滞在地点座標取得部２５で取得した滞在地点の座標及び地図情報記憶部１０から呼び出した地図情報に基づいて、滞在地点の行政区分を特定する部分である。また、放送局抽出部２６は、特定した行政区分に従って、テレビ受信機２の受信可能エリア記憶部３３から受信可能な放送局を抽出するようになっている。
【００５７】
番組情報取得部２２は、無線通信部３４にて受け取ったＥＰＧデータの中から、番組情報を取得する部分である。また、番組情報選択部２３は、番組情報取得部２２にて取得した番組情報に基づいて滞在地点で到着予想時刻以降に受信可能なテレビ番組に関する番組情報を選択する部分である。
【００５８】
すなわち、番組情報選択部２３は、放送局抽出部２６にて特定した行政区分をキーワードとして、受信可能な放送局のうち、到着予想時刻算出部２１にて算出した到着予想時刻以降に開始される番組を検索し、検索条件に該当するテレビ番組の番組情報を選択するようになっている。
【００５９】
なお、番組情報選択部２３にて選択するテレビ番組の番組情報とは、ここでは、１つの番組に関して、その番組名、チャンネル名、番組の開始・終了時刻である。また、番組情報選択部２３における番組情報の検索条件のうち、到着予想時刻算出部２１の算出した「到着予想時刻以降」とは、番組の開始時刻を、到着予想時刻から所定時間後（例えば、３０分〜１時間後）としても良いし、番組の開始時刻と到着予想時刻とが同一時刻であっても構わない。
【００６０】
表示制御部２４は、本実施形態における表示処理全般に関して制御する部分であって、テレビ番組の放送内容自体の表示処理や、地図情報上での誘導経路の表示処理に加えて、番組情報選択部２３にて選択した番組情報の表示処理を実行する部分である。表示制御部２４は、番組情報選択部２３が選択した番組情報に関して、この番組情報を、滞在地点に対応付けて地図情報上に表示するように構成された点に特徴がある。
【００６１】
より詳しくは、図３の表示画面例に示すように、表示制御部２４では、１つの番組ごとに番組情報（番組名、チャンネル名、番組の開始・終了時刻）を表示するように構成されている。ここで番組情報の表示領域は、複数の番組情報を含む通常の番組表のそれと比べて、非常に小さく表示可能である。また、番組情報が複数存在する場合には、次ページを誘導するマークが番組情報の下方に表示され、このマーク部分に触れることで、次の番組情報に順次、表示が切り替えられるようになっている。
【００６２】
また、本実施形態では、前述したように、テレビ受信機２はＥＰＧによる番組の視聴及び録画の予約機能を有しているので、表示制御部２４は、この予約機能を表示するようになっている。すなわち、上記の番組情報の表示と共に、視聴予約及び録画予約の入力ボタンを表示している。ここで、視聴予約とは、予約した番組の放送開始時間になると、予約した番組を自動的に受信して表示させるものであり、録画予約とは、予約した番組を、装置が備える記録媒体（ＨＤＤ、半導体メモリ等）に自動記録するものである。さらに、表示制御部２４は、番組情報の表示領域の上部に、滞在地点の名称（休憩地:ＯＯ公園）と、到着予想時刻（ＡＭ１１:５５到着予定）を、合わせて表示するようになっている。
【００６３】
（１−２）本実施形態における番組情報の表示処理の流れ
次に、本実施形態における番組情報の表示処理に関して、図４のフローチャートを参照して説明する。まず、ステップＳ１０１において、ユーザーからの入力信号に従って目的地設定部１８が目的地を設定し、ステップＳ１０２では経路探索部１９が出発地である自車位置から、設定された目的地までの経路を探索する。
【００６４】
続いて、ステップＳ１０３において滞在地点設定部２０が滞在地点を設定し、ステップＳ１０４にて滞在地点座標取得部２５が地図情報記憶部１０に記憶された地図情報に基づいて滞在地点の座標を取得する。その後、地図情報記憶部１０から取り出した地図情報と滞在地点の座標に基づいて、放送局抽出部２６が滞在地点の座標が存在する行政区分を特定し（ステップＳ１０５）、無線通信部３４によってＥＰＧデータを取得した上で（ステップＳ１０６）、さらに受信可能エリア記憶部３３から受信可能な放送局を抽出する（ステップＳ１０７）。
【００６５】
次に、ステップＳ１０８において、到着予想時刻算出部２１が、ＧＰＳレシーバ３にて取得した現在時刻を起点として、地図情報記憶部１０から呼び出したリンク旅行時間から、滞在地点に自車が到着する予想時刻を、算出する。ステップＳ１０９では、番組情報選択部２３が番組情報を選択するための検索条件を決定する。すなわち、滞在地点において受信可能な番組のうち、到着予想時刻算出部２１にて算出した到着予想時刻以降に開始される番組を、検索条件とする。
【００６６】
ステップＳ１１０では、取得したＥＰＧデータの中から番組情報取得部２２により取得した番組情報に基づいて、前記検索条件に該当したテレビ番組が存在するかどうかを判断する。そして、この検索条件に該当したテレビ番組が存在すれば（ステップＳ１１０のＹｅｓ）、番組情報選択部２３は、検索条件に該当するテレビ番組の番組情報に関して、これを選択する（ステップＳ１１１）。
【００６７】
より詳しくは、番組情報選択部２３は、放送局抽出部２５にて特定した行政区分をキーワードとして、受信可能な放送局のうち、到着予想時刻算出部２１にて算出した到着予想時刻以降に開始される番組を検索し、検索条件を満たした番組情報を抽出する。また、検索条件に該当したテレビ番組が存在しなければ（ステップＳ１１０のＮｏ）、処理を終了する。
【００６８】
ステップＳ１１２では、表示制御部２４が、番組情報選択部２３が選択した番組情報を、滞在地点設定部２０にて設定した滞在地点に対応付けて地図情報上に表示する。このとき、番組情報と共に、視聴予約及び録画予約の入力ボタン、滞在地点の名称（休憩地:ＯＯ公園）、到着予想時刻（ＡＭ１１:５５到着予定）を合わせて表示する（図３参照）。
【００６９】
（１−３）作用効果
以上のような構成を有する第１の実施形態の作用効果は、次の通りである。すなわち、経路探索部１９にて探索した経路上の任意の地点を、滞在地点設定部２０により滞在地点を設定する。また、滞在地点に到着する到着予想時刻を算出しておく。そして、番組情報取得部２２が取得した番組情報の中から、番組情報選択部２３が、前記滞在地点への到着予想時刻以降に受信可能であるテレビ番組の番組情報を選択し、表示制御部２４が番組情報選択部２３の選択した番組情報を滞在地点に対応付けて、地図情報上に表示することができる。
【００７０】
これにより、ユーザーは、滞在地点における受信可能な番組の番組情報を、地図情報上で確認することができる。このとき、１つの番組に関する番組情報に絞って表示するので、番組表に比べて表示領域の面積は小さくて済み、これを誘導経路と重ねて地図情報上に表示しても、誘導経路や地図情報が見え難くならない。つまり、番組情報を表示しても誘導経路や地図情報の視認性が低下することがなく、安全である。
【００７１】
その上、番組を視聴するポイントである経路上の滞在地点と、そこでの受信可能な番組の番組情報とを、対応させつつ同一画面に表示するので、たとえ滞在地点を複数設定したとしても、番組情報と滞在地点との対応関係が明確であり、テレビ番組の視聴環境を直感的に把握可能である。
【００７２】
また、本実施形態では、表示制御部２４にて視聴予約及び録画予約の入力ボタンを表示するため、これらの入力ボタンを操作することでテレビ受信機２の視聴及び録画の予約機能が動作し、テレビ番組の視聴又は録画の予約を行うことができる。これにより、当該テレビ番組の見逃しを防ぐことが可能である。
【００７３】
さらに、第１の実施形態では、到着予想時刻算出部２１が滞在地点に到着する到着予想時刻を算出するので、時刻の設定は不要であって、滞在地点を設定するだけで番組情報を取得することができ、設定作業を軽減化することができる。しかも、滞在地点の設定作業に関しても、義務的な作業意識を持つことなく、ドライブ途中での休憩地点を探すといった気軽な気持ちで、進めることができる。
【００７４】
その結果、ユーザーは滞在地点にてテレビ番組を気軽に見ようとする気持ちになり、テレビ機能の利用頻度が向上する。これにより、多機能化した車載機器が持つ高品質感を長期にわたって維持することが可能であり、ユーザーは高い満足度を得ることができる。
【００７５】
（２）第２の実施形態
（２−１）構成
続いて、第２の実施形態について、図５の仮想的回路ブロックの構成図、図６の表示画面例を参照して説明する。なお、第２の実施形態における全体構成は、上記第１の実施形態と同様なので、説明は省略する。
【００７６】
図５に示すように、第２の実施形態は、演算部１２に、仮想的回路ブロックとして、アイコンデータ格納部２７及びアイコン選択検知部２８を設置した点に特徴がある。アイコンデータ格納部２７は、番組アイコン２９（図６参照）の表示用データを格納する部分である。番組アイコン２９とは、受信可能な番組が存在することを示す、例えばテレビ形状のアイコンであり、各アイコンには、受信可能なテレビ番組の番組情報が対応付けて記憶されている。
【００７７】
第２の実施形態では、番組情報取得部２２が滞在地点で到着予想時刻以降に受信可能なテレビ番組の番組情報を取得したとき、表示制御部２３がアイコンデータ格納部２７に格納された番組アイコン２９を呼び出し、これを滞在地点に対応付けて地図情報上に表示するように構成されている。
【００７８】
このとき、番組アイコン２９は液晶ディスプレイの表示画面上に表示された状態でタッチパネル上での入力ボタンとなる。すなわち、ユーザーが番組アイコン２９に触れると、出力部７として機能する液晶ディスプレイより、番組アイコン２９を選択した選択信号が、アイコン選択検知部２８に出力される。
【００７９】
アイコン選択検知部２８は、この選択信号を受信して、選択検知信号を表示制御部２４に出力する部分である。表示制御部２４では、アイコン選択検知部２８の出力した選択検知信号を受け取った後、番組アイコン２９の表示を消し、選択された番組アイコン２９に対応する番組情報を上記第１の実施形態の場合と同様に、番組情報を表示するようになっている（第１の実施形態における図３の表示画面例と同じ）。
【００８０】
（２−２）作用効果
このような第２の実施形態においては、上記第１の実施形態に加えて、次のような作用効果がある。すなわち、番組アイコン２９は滞在地点で受信可能な番組が存在することを示す記号なので、その表示面積は非常に小さく済み、これを地図情報上に表示しても、誘導経路や地図情報を隠すことはなく、地図情報の表示画面は良好な視認性を維持することができる。
【００８１】
また、第２の実施形態では、滞在地点にて受信可能な番組が存在するか否かを番組アイコン２９によって表示するだけで番組情報は非表示なので、仮に渋滞や事故等により滞在地点への到着が到着予想時刻よりも遅れたとしても、頻繁に変更される番組情報を、ユーザーが目にすることがない。このため、時間の経過と共に番組情報が目まぐるしく更新され、それを見ているユーザーがストレスを覚えるといった事態を回避することができ、滞在地点に到着した後で、ゆとりを持ってテレビ番組の視聴が可能となる。
【００８２】
また、番組アイコン２９を選択した場合に、アイコン選択検知部２８がこれを検知して、表示制御部２４は番組アイコンの表示からそれに対応した番組情報の表示に切り替えることができる。これにより、受信可能な番組の存在だけではなく、さらに詳しい内容の番組情報を把握することが可能である。
【００８３】
（２−３）第２の実施形態の変形例
なお、滞在地点では車両は停車中なので、誘導経路を含む地図情報画面を詳しく見る機会は少なく、地図情報画面の表示を小さくしたり、番組情報の表示領域が大きくて地図情報画面の大半を隠したりしても、それほど不便ではない。
【００８４】
そこで、図７の表示画面例のように、表示画面を左右に２分割して、番組アイコン２９を含む地図情報画面（画面の左側）と、番組アイコン２９に対応した番組情報を示した画面（画面の右側）とを同時に表示することも可能である。このとき、液晶ディスプレイの表示画面の半分を表示領域に利用できるので、複数の番組情報（ここでは３つ）を同時に表示することもできる。また、図８に示すように、複数の番組情報（ここでは３つ）を滞在地点に対応付けて、地図情報上に表示することも可能である。
【００８５】
（３）第３の実施形態
（３−１）構成
次に、第３の実施形態について、図９を参照して説明する。第３の実施形態も、その全体構成は、上記第１及び第２の実施形態と同様であって、演算部１２における仮想的回路ブロックに、下記のような構成を加えた点に特徴がある。
【００８６】
すなわち、第３の実施形態では、図９に示すように、演算部１２に、仮想的回路ブロックとして、視聴開始検知部３０と、出発予定時刻算出部３１と、視聴好適地点検出部３２を備えている。視聴開始検知部３０は、滞在地点にて前記テレビ受信機２によりテレビ番組の視聴を開始したことを検出する部分である。また、出発予定時刻算出部３１は、番組情報選択部２３にて選択した番組情報の中から視聴を開始したテレビ番組の放送終了時刻を取り出し、この放送終了時刻に基づいて滞在地点の出発予定時刻を求める部分である。
【００８７】
さらに第３の実施形態では、到着予想時刻算出部２１において、出発予定時刻算出部３１の求めた出発予定時刻を起点として、テレビ番組の視聴を開始した滞在地点以降に存在する滞在地点の到着予想時刻を更新するように構成されている。そして、番組情報選択部２３は、更新した到着予想時刻に基づいて番組情報を更新するように構成されている。
【００８８】
また、視聴好適地点検出部３２は、地図情報記憶部１０から呼び出した地図情報に基づいて、経路探索部１９にて探索した経路上の任意の地点もしくは経路の近傍で、且つテレビ番組の視聴に適したスペースを有する視聴好適地点、例えば駐車場やサービスエリアを検出する部分である。このとき、滞在地点設定部２０は、視聴好適地点検出部３２にて検出された視聴好適地点を、滞在地点として設定するように構成されている。
【００８９】
（３−２）作用効果
以上のような第３の実施形態においては、視聴好適地点検出部３２が番組視聴に適した地点を検出し、この地点を、滞在地点設定部２０が滞在地点として設定するので、テレビの視聴に適した環境で番組の視聴が可能である。しかも、視聴好適地点検出部３２と滞在地点設定部２０を組み合わせて利用することで、ユーザー自身は滞在地点の設定作業を行う必要がなくなる。
【００９０】
前述したように、到着予想時刻算出部２１を備えたことで時刻の設定作業も省略できることを考え合わせると、第３の実施形態では、番組情報の取得時に行っていた面倒な設定作業を、完全に無くすことができる。したがって、テレビ機能の利用に際して、ユーザーの心理的な負担が軽減化され、テレビ機能の利用しやすさをいっそう高めることができる。
【００９１】
また、第３の実施形態では、設定した滞在地点で実際にテレビ番組を見始めた場合、出発予定時刻算出部３１が、その番組の放送終了時刻から、この滞在地点を出発する予定時刻を割り出すことができる。例えば、放送終了時刻の１０分後を出発予定時刻として設定する。
【００９２】
そして、到着予想時刻算出部２１は、この出発予定時刻を起点として、他の滞在地点の到着予想時刻を更新し、番組情報選択部２３は、到着予想時刻の更新に基づいて受信可能なテレビ番組の番組情報を更新している。これにより、表示制御部２４では、実際に滞在地点にてテレビ番組を視聴した後、誘導経路上での他の滞在地点においても、正確な番組情報を表示することができる。
【００９３】
（４）第４の実施形態
（４−１）構成
続いて、第４の実施形態について、図１０を用いて説明する。第４の実施形態における全体構成も、上記第１〜第３の実施形態と同様であって、図１０の機能ブロック図に示すように、第４の実施形態の特徴は、演算部１２に仮想的回路ブロックとして、番組情報選択手段として地域関連番組選択部３５を設けた点にある。
【００９４】
地域関連番組検索部３５は、番組情報取得部２２の取得した番組情報の中から、経路探索部１９にて計算した経路を含む地域の名称、例えば目的地や滞在地点が属する行政区分をキーワードとして、地域に関連した地域関連番組を検索し、選択する部分である。表示制御部２４は、地域関連番組検索部３５にて検索した地域関連番組の番組情報を、滞在地点に対応付けて地図情報上に表示するように構成されている。
【００９５】
（４−２）作用効果
以上の構成を有する第４の実施形態では、上記の実施形態の持つ作用効果に加えて、次のような作用効果がある。すなわち、第４の実施形態においては、ドライブ中のユーザーの関心度が高いと思われる誘導経路付近の地域関連番組に関して、ユーザーが特に検索操作を実行しなくても、誘導経路に関係する地域の名称をキーワードとして、地域関連番組検索部３５にて地域関連番組に関する番組情報を自動的に検索し、取得する。このため、ユーザーは、滞在地点にて地域関連番組を見ることができる。その結果、ドライブ中に有用な情報を効率良く収集することが可能である。
【００９６】
（４−３）第４の実施形態の変形例
第４の実施形態の変形例として、アイコンデータ格納部２７において、地域関連番組用の番組アイコンの表示用データを格納しておき、表示制御部２４がこの番組アイコン２９を呼び出し、これを滞在地点に対応付けて地図情報上に表示するようにしてもよい。このとき、地域関連番組用の番組アイコン２９は、点滅表示や表示色を変える等して、通常の番組アイコン２９と表示形態よりも、目立たせることが望ましい。また、地域関連番組検索部３５の検索条件であるキーワードとしては、経路探索部１９にて探索した経路付近に存在する施設名等、適宜選択可能である。
【００９７】
（５）他の実施形態
なお、本発明は、上記の実施形態に限定されるものではなく、各要素の具体的な構成等は適宜変更可能であり、番組情報の表示数や内容等も適宜選択可能である。例えば、番組情報として、ドラマ、ニュース、天気予報といった番組の概要を示す用語を表示するようにしてもよい。また、番組情報や番組アイコンの表示形態も変更可能であり、その表示や消去に関するタイミングも適宜選択可能である。
【００９８】
さらに、上記の実施形態は車載用機器への適用例を示しているが、テレビ受信機とナビゲーション装置を有する移動体に採用可能であって、同様の作用効果を発揮することができる。また、番組情報表示機能は、テレビ受信機もしくはナビゲーション装置の出力部にて実現してもよいし、テレビ受信機及びナビゲーション装置とは独立した別の表示装置によって実現することも可能である。
【図面の簡単な説明】
【００９９】
【図１】本発明に係る第１の実施形態の全体構成を示す機能ブロック図。
【図２】第１の実施形態における要部の機能ブロック図。
【図３】第１の実施形態における表示画面例。
【図４】第１の実施形態における動作の流れを示すフローチャート。
【図５】本発明に係る第２の実施形態における要部の機能ブロック図。
【図６】第２の実施形態における表示画面例。
【図７】第２の実施形態の変形例における表示画面例。
【図８】第２の実施形態の変形例における表示画面例。
【図９】本発明に係る第３の実施形態における要部の機能ブロック図。
【図１０】本発明に係る第４の実施形態における要部の機能ブロック図。
【図１１】従来の地図情報及び番組表の表示画面例。
【符号の説明】
【０１００】
１…ナビゲーション装置
２…テレビ受信機
３…ＧＰＳレシーバ
４…ジャイロセンサ
５…車速パルスセンサ
６…入力部
７…出力部
８…メディア制御部
９…メモリ
１０…地図情報記憶部
１１…マンマシンインターフェース制御部
１２…演算部
１３…ＦＭ多重受信部
１４…光／電波ビーコン受信部
１５…テレビ受信部
１８…目的地指定部
１６…自車位置検出部
１７…出発地指定部
１９…経路計算部
２０…滞在地点設定部
２１…到着予想時刻算出部
２２…番組情報取得部
２３…番組情報選択部
２４…表示制御部
２５…滞在地点座標取得部
２６…放送局抽出部
２７…アイコンデータ格納部
２８…アイコン選択検知部
２９…番組アイコン
３０…視聴開始検知部
３１…出発予定時刻算出部
３２…視聴好適地点検出部
３３…受信可能エリア記憶部
３４…無線通信部
３５…地域関連番組検索部
【図１】
2010093531.tif 000003
【図２】
2010093531.tif 000004
【図３】
2010093531.tif 000005
【図４】
2010093531.tif 000006
【図５】
2010093531.tif 000007
【図６】
2010093531.tif 000008
【図７】
2010093531.tif 000009
【図８】
2010093531.tif 000010
【図９】
2010093531.tif 000011
【図１０】
2010093531.tif 000012
【図１１】
2010093531.tif 000013